(57)【要約】【課題】会社の代りにカフェテリアプランを代行する装置を提供する。【解決手段】カフェテリアプラン代行装置１は、企業端末２から送信された従業者個人に付与された持ち点を従業者個人毎に記憶し、個人端末３から送信された福利厚生サービスの利用の申し込み及び福利厚生サービスの利用に使用する使用持ち点を受信すると、対応する福利厚生サービス施設の施設端末４へ福利厚生サービスの利用の利用手続を行い、使用持ち点相当の補助金額を施設端末４に送信する。従業者個人が福利厚生サービス施設を利用した際に、福利厚生サービス施設は、従業者個人に全請求額のうちの自己負担分を支払わせて残金として残った補助金額を代行装置１への請求額として施設端末４から代行装置１に送信させる。代行装置１は、受信した補助金額に相当する請求額に取り分を上乗せして代行装置１から企業への請求額として企業端末４に送信する。【選択図】　　　　図１
2004102761.tif 000002
【特許請求の範囲】
【請求項１】
プロセッサと、該プロセッサに所定の処理を実行させるためのプログラムを格納すると共に前記プロセッサが前記プログラムを実行する際に一時記憶としても動作するメモリとを備えたカフェテリアプラン代行装置であって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額に前記カフェテリアプラン代行装置の取り分を上乗せして、前記カフェテリアプラン代行装置から前記企業への請求額として前記企業端末に送信すると共に前記カフェテリアプラン代行装置から前記企業への請求額を前記従業者個人別に前記メモリに記憶させる第４のステップとを有することを特徴とするカフェテリアプラン代行装置。
【請求項２】
プロセッサと、該プロセッサに所定の処理を実行させるためのプログラムを格納すると共に前記プロセッサが前記プログラムを実行する際に一時記憶としても動作するメモリとを備えたカフェテリアプラン代行装置であって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額を、前記従業者個人に対する前記補助金額に相当する前記企業への請求額に変更して前記企業端末に送信すると共に前記企業への請求額を前記従業者個人別に前記メモリに記憶させる第４のステップとを有することを特徴とするカフェテリアプラン代行装置。
【請求項３】
企業に設けられた企業端末と、該企業端末に接続されたカフェテリアプラン代行装置と、該カフェテリアプラン代行装置に接続された個人端末と、前記カフェテリアプラン代行装置に接続された施設端末とを含む福利厚生システムにおいて、
前記カフェテリアプラン代行装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
前記企業端末から送信された、前記企業の従業者個人に付与された持ち点を表わす持ち点データを受信すると、該持ち点データを従業者個人毎に前記メモリに、記憶された持ち点データとして記憶させる第１のステップと、
前記企業の従業者個人によって前記個人端末に入力されかつ該個人端末から送信された、前記従業者個人の福利厚生サービスの利用の申し込み及び該福利厚生サービスの利用に使用する使用持ち点を受信すると、対応する福利厚生サービス施設の前記施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額に前記カフェテリアプラン代行装置の取り分を上乗せして、前記カフェテリアプラン代行装置から前記企業への請求額として前記企業端末に送信すると共に前記カフェテリアプラン代行装置から前記企業への請求額を前記従業者個人別に前記メモリに記憶させる第４のステップとを有することを特徴とする福利厚生システム。
【請求項４】
企業に設けられた企業端末と、該企業端末に接続されたカフェテリアプラン代行装置と、該カフェテリアプラン代行装置に接続された個人端末と、前記カフェテリアプラン代行装置に接続された施設端末とを含む福利厚生システムにおいて、
前記カフェテリアプラン代行装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
前記企業端末から送信された、前記企業の従業者個人に付与された持ち点を表わす持ち点データを受信すると、該持ち点データを従業者個人毎に前記メモリに、記憶された持ち点データとして記憶させる第１のステップと、
前記企業の従業者個人によって前記個人端末に入力されかつ該個人端末から送信された、前記従業者個人の福利厚生サービスの利用の申し込み及び該福利厚生サービスの利用に使用する使用持ち点を受信すると、対応する福利厚生サービス施設の前記施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額を、前記従業者個人に対する前記補助金額に相当する前記企業への請求額に変更して前記企業端末に送信すると共に前記企業への請求額を前記従業者個人別に前記メモリに記憶させる第４のステップとを有することを特徴とする福利厚生システム。
【請求項５】
プロセッサと、該プロセッサに所定の処理を実行させるためのプログラムを格納すると共に前記プロセッサが前記プログラムを実行する際に一時記憶としても動作するメモリとを備えたカフェテリアプラン代行装置における前記プログラムであって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額に前記カフェテリアプラン代行装置の取り分を上乗せして、前記カフェテリアプラン代行装置から前記企業への請求額として前記企業端末に送信すると共に前記カフェテリアプラン代行装置から前記企業への請求額を前記従業者個人別に前記メモリに記憶させる第４のステップとを有することを特徴とするカフェテリアプラン代行装置用プログラム。
【請求項６】
プロセッサと、該プロセッサに所定の処理を実行させるためのプログラムを格納すると共に前記プロセッサが前記プログラムを実行する際に一時記憶としても動作するメモリとを備えたカフェテリアプラン代行装置における前記プログラムであって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額を、前記従業者個人に対する前記補助金額に相当する前記企業への請求額に変更して前記企業端末に送信すると共に前記企業への請求額を前記従業者個人別に前記メモリに記憶させる第４のステップとを有することを特徴とするカフェテリアプラン代行装置用プログラム。
【発明の詳細な説明】
【０００１】
【発明の属する技術分野】
本発明は、会社の代りにカフェテリアプランを代行するツールであるカフェテリアプラン代行装置に関する。
【０００２】
本発明は、また、前記カフェテリアプラン代行装置を有する福利厚生システム及びカフェテリアプラン代行装置用プログラムに関する。
【０００３】
【従来の技術】
非特許文献１の第３頁左欄には、
「カフェテリアプランとは、会社が従業者に対して福利厚生をメニューとして提示し、従業者が一定の予算（ポイント（持ち点）で付与）の枠内で選択する仕組みのことである」ことが記載され、
また、上記非特許文献１の第１０頁の［資料２］には、
「メニューとしては、人間ドック個人負担補助、ベビーシッター利用費補助、保育園利用費補助、在宅介護等利用費補助、職場旅行補助などがある」ことが記載され、
更に、上記非特許文献１の第１１頁の［６］メニューの特徴の項には、
「英会話や資格取得の勉強など、業務に関連する講座を受講する社員が多いが、これまでの実績ではワインのソムリエ教室、お茶などの習い事、テニスやスキーのスクール受講、自動車免許の取得などに本メニューを利用した社員もいる」旨が記載され、
また、上記非特許文献１の第２０頁の［５］申請・事務処理の項には、
「前述のように、専門会社と提携し、事務処理・ポイント管理を業務委託している。社内では人事総務部が窓口となるが、基本的に、社員は直接委託先の事務局に申し込み・支払等の手続をする［資料３］。」との記載があり、
上記非特許文献１の第２２頁の［資料３］には、
「事務処理（アウトソーシング）の仕組み」が図示されている。
【０００４】
また、特許文献１の［００８９］段落中には、
「すなわち、各従業員はメニュー利用予約時に、予めポイント申請を行う。仲介業務企業はその従業員の残ポイント数から、申請ポイントをマイナスし、同時にそのポイント分の利用料金を立替える。各従業員は、仲介業務企業へ利用料金からポイント利用分の料金を差し引いた料金（自己負担分）だけを予め支払う。この自己負担分は、予め支払うことができなかったとき、現地で支払うこともできる。」との記載があり、
また、上記特許文献１の［００９０］段落中には、
「以上のように仲介業務企業は、事前にその自己負担分を従業員に請求しその支払いを受け、運用業者には金額利用料金を支払っているので、利用現地では従業員は利用料金を支払う必要がない。」との記載がある。
【０００５】
【非特許文献１】
「労政時報第３４０７号」財団法人労務行政研究所出版、１９９９年７月２３日、第２頁、第３頁、第１０頁、第１１頁、第２０頁、第２２頁
【０００６】
【特許文献１】
特開２００１−３５０８６８号公報（［００８９］及び［００９０］段落）。
【０００７】
【発明が解決しようとする課題】
しかし、上記非特許文献１の前記［資料３］には、会社、社員、代行会社、利用施設の間のやり取りが図示されてはいるが、会社、社員、代行会社、利用施設のそれぞれにコンピュータ端末を設けること、及び会社、社員、代行会社、利用施設のそれぞれに設けられたコンピュータ端末を用いて前記やり取りをすることは、非特許文献１には開示されていない。
【０００８】
また、特許文献１は、［００９０］段落中に記載のように、「仲介業務企業は、事前にその自己負担分を従業員に請求しその支払いを受け、」「利用現地では従業員は利用料金を支払う必要がない」ようにすることが基本思想であり、その基本思想の例外を、「自己負担分は、予め支払うことができなかったとき、現地で支払うこともできる。」として記載しているだけで、この例外をシステムの動作として発展し具体化する記載は一切ない。
【０００９】
それ故、本発明の目的は、会社の代りにカフェテリアプランを代行するツールであるカフェテリアプラン代行装置をコンピュータシステム上で実現するためのハードウェアの用い方を提供することにある。
【００１０】
本発明の別の目的は、前記カフェテリアプラン代行装置を有する福利厚生システム及びカフェテリアプラン代行装置用プログラムを提供することある。
【００１１】
【課題を解決するための手段】
本発明の第１の態様によれば、プロセッサと、該プロセッサに所定の処理を実行させるためのプログラムを格納すると共に前記プロセッサが前記プログラムを実行する際に一時記憶としても動作するメモリとを備えたカフェテリアプラン代行装置であって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額に前記カフェテリアプラン代行装置の取り分を上乗せして、前記カフェテリアプラン代行装置から前記企業への請求額として前記企業端末に送信すると共に前記カフェテリアプラン代行装置から前記企業への請求額を前記従業者個人別に前記メモリに記憶させる第４のステップとを有することを特徴とするカフェテリアプラン代行装置が得られる。
【００１２】
本発明の第２の態様によれば、プロセッサと、該プロセッサに所定の処理を実行させるためのプログラムを格納すると共に前記プロセッサが前記プログラムを実行する際に一時記憶としても動作するメモリとを備えたカフェテリアプラン代行装置であって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額を、前記従業者個人に対する前記補助金額に相当する前記企業への請求額に変更して前記企業端末に送信すると共に前記企業への請求額を前記従業者個人別に前記メモリに記憶させる第４のステップとを有することを特徴とするカフェテリアプラン代行装置が得られる。
【００１３】
本発明の第３の態様によれば、企業に設けられた企業端末と、該企業端末に接続されたカフェテリアプラン代行装置と、該カフェテリアプラン代行装置に接続された個人端末と、前記カフェテリアプラン代行装置に接続された施設端末とを含む福利厚生システムにおいて、
前記カフェテリアプラン代行装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
前記企業端末から送信された、前記企業の従業者個人に付与された持ち点を表わす持ち点データを受信すると、該持ち点データを従業者個人毎に前記メモリに、記憶された持ち点データとして記憶させる第１のステップと、
前記企業の従業者個人によって前記個人端末に入力されかつ該個人端末から送信された、前記従業者個人の福利厚生サービスの利用の申し込み及び該福利厚生サービスの利用に使用する使用持ち点を受信すると、対応する福利厚生サービス施設の前記施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額に前記カフェテリアプラン代行装置の取り分を上乗せして、前記カフェテリアプラン代行装置から前記企業への請求額として前記企業端末に送信すると共に前記カフェテリアプラン代行装置から前記企業への請求額を前記従業者個人別に前記メモリに記憶させる第４のステップとを有することを特徴とする福利厚生システムが得られる。
【００１４】
本発明の第４の態様によれば、企業に設けられた企業端末と、該企業端末に接続されたカフェテリアプラン代行装置と、該カフェテリアプラン代行装置に接続された個人端末と、前記カフェテリアプラン代行装置に接続された施設端末とを含む福利厚生システムにおいて、
前記カフェテリアプラン代行装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
前記企業端末から送信された、前記企業の従業者個人に付与された持ち点を表わす持ち点データを受信すると、該持ち点データを従業者個人毎に前記メモリに、記憶された持ち点データとして記憶させる第１のステップと、
前記企業の従業者個人によって前記個人端末に入力されかつ該個人端末から送信された、前記従業者個人の福利厚生サービスの利用の申し込み及び該福利厚生サービスの利用に使用する使用持ち点を受信すると、対応する福利厚生サービス施設の前記施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額を、前記従業者個人に対する前記補助金額に相当する前記企業への請求額に変更して前記企業端末に送信すると共に前記企業への請求額を前記従業者個人別に前記メモリに記憶させる第４のステップとを有することを特徴とする福利厚生システムが得られる。
【００１５】
本発明の第５の態様によれば、プロセッサと、該プロセッサに所定の処理を実行させるためのプログラムを格納すると共に前記プロセッサが前記プログラムを実行する際に一時記憶としても動作するメモリとを備えたカフェテリアプラン代行装置における前記プログラムであって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額に前記カフェテリアプラン代行装置の取り分を上乗せして、前記カフェテリアプラン代行装置から前記企業への請求額として前記企業端末に送信すると共に前記カフェテリアプラン代行装置から前記企業への請求額を前記従業者個人別に前記メモリに記憶させる第４のステップとを有することを特徴とするカフェテリアプラン代行装置用プログラムが得られる。
【００１６】
本発明の第６の態様によれば、プロセッサと、該プロセッサに所定の処理を実行させるためのプログラムを格納すると共に前記プロセッサが前記プログラムを実行する際に一時記憶としても動作するメモリとを備えたカフェテリアプラン代行装置における前記プログラムであって、
前記所定の処理は、
企業端末から送信された、企業の従業者個人に付与された持ち点を表わす持ち点データを受信すると、該持ち点データを従業者個人毎に前記メモリに、記憶された持ち点データとして記憶させる第１のステップと、
前記企業の従業者個人によって個人端末に入力されかつ該個人端末から送信された、前記従業者個人の福利厚生サービスの利用の申し込み及び該福利厚生サービスの利用に使用する使用持ち点を受信すると、対応する福利厚生サービス施設の施設端末へ前記福利厚生サービスの利用の利用手続を行い、前記使用持ち点相当の補助金額を前記施設端末に送信し、前記使用持ち点及び前記従業者個人の持ち点と前記使用持ち点との差である残り持ち点を前記従業者個人別に前記メモリに記憶させる第２のステップと、
前記従業者個人が前記福利厚生サービス施設を利用した際に、前記福利厚生サービス施設が、前記従業者個人に全請求額のうちの自己負担分を支払わせて残金として残った前記従業者個人に対する前記補助金額を前記カフェテリアプラン代行装置への請求額として前記施設端末から前記カフェテリアプラン代行装置に送信させた、前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる第３のステップと、
前記従業者個人に対する前記補助金額に相当する前記カフェテリアプラン代行装置への請求額を、前記従業者個人に対する前記補助金額に相当する前記企業への請求額に変更して前記企業端末に送信すると共に前記企業への請求額を前記従業者個人別に前記メモリに記憶させる第４のステップとを有することを特徴とするカフェテリアプラン代行装置用プログラムが得られる。
【００１７】
上記非特許文献１には、上記企業、上記従業者、上記カフェテリアプラン代行装置、及び上記福利厚生サービス施設がそれぞれコンピュータ端末を有すること、及び上記企業、上記従業者、上記カフェテリアプラン代行装置、及び上記福利厚生サービス施設がそれぞれコンピュータ端末を用いてやり取りをすることは、開示されていない。
【００１８】
上記非特許文献１及び上記特許文献１は、特に、上記第３のステップにおける「残金として残った前記従業者個人に対する前記補助金額を前記カフェテリアプラン代行装置への請求額として前記施設端末から前記カフェテリアプラン代行装置に送信させる」こと、「前記従業者個人に対する前記補助金額に相当する前記カフェテリアプラン代行装置への請求額を受信すると、前記従業者個人に対する前記補助金額に相当する前記カフェテリアプラン代行装置への請求額を前記従業者個人別に前記メモリに記憶させる」ことを開示していない。
【００１９】
加えて、上記非特許文献１及び上記特許文献１は、上記第４のステップにおける、「前記従業者個人に対する前記補助金額に相当する前記カフェテリアプラン代行装置への請求額に前記カフェテリアプラン代行装置の取り分を上乗せして、前記カフェテリアプラン代行装置から前記企業への請求額として前記企業端末に送信すると共に前記カフェテリアプラン代行装置から前記企業への請求額を前記従業者個人別に前記メモリに記憶させる」こと、或いは「前記従業者個人に対する前記補助金額に相当する前記カフェテリアプラン代行装置への請求額を、前記従業者個人に対する前記補助金額に相当する前記企業への請求額に変更して前記企業端末に送信すると共に前記企業への請求額を前記従業者個人別に前記メモリに記憶させる」ことを開示していない。
【００２０】
【発明の実施の形態】
次に本発明の実施例について説明する。
【００２１】
図１を参照すると、本発明の一実施例による福利厚生システムは、企業に設けられたコンピュータ端末である企業端末２と、企業端末２にインターネットを介して接続されたカフェテリアプラン代行装置１と、カフェテリアプラン代行装置１にインターネットを介して接続されたコンピュータ端末である個人端末３と、カフェテリアプラン代行装置１にインターネットを介して接続されたコンピュータ端末である施設端末４とを含む。
【００２２】
施設端末４は、企業のカフェテリアプランの各種のメニュー（例えば、人間ドック個人負担補助、保育園利用費補助、職場旅行補助、英会話や資格取得の勉強などの講座の受講補助、ワインのソムリエ教室、お茶などの習い事の補助、テニスやスキーのスクール受講の補助）を実現するのに必要な各種の福利厚生サービス施設に設けられている。企業の従業者は、自分の持ち点（ポイント）の範囲内で、前述の各種のメニューから好きなメニューと使用持ち点とを選択し、対応する福利厚生サービス施設を使用持ち点相当の補助を前記企業から受けて利用することができる。
【００２３】
図２を参照すると、カフェテリアプラン代行装置１は、プロセッサ１０と、プロセッサ１０に所定の処理を実行させるためのプログラム（カフェテリアプラン代行装置用プログラム）５０を格納すると共にプロセッサ１０がプログラム５０を実行する際に一時記憶としても動作するメモリ２０とを備えたコンピュータ端末である。カフェテリアプラン代行装置１は、更に、キー入力部４０と、企業端末２、個人端末３、及び施設端末４とインターネットを介して通信するための通信手段３０とを備えている。また、カフェテリアプラン代行装置１は、プロセッサ１０により制御される、例えば液晶ディスプレイからなる表示部６０も備えている。
【００２４】
プロセッサ１０は、メモリ２０に格納されたプログラム（カフェテリアプラン代行装置用プログラム）５０に従って、以下のステップを前記所定の処理として実行する。
【００２５】
すなわち、図２に図１をも加えて参照して、プロセッサ１０は、企業端末２から送信された、企業の従業者個人に付与された持ち点を表わす持ち点データを受信すると、持ち点データを従業者個人毎にメモリ２０に、記憶された持ち点データとして記憶させる第１のステップを実行する。
【００２６】
図３に、メモリ２０に持ち点データが従業者個人毎に記憶された状態を示す。
【００２７】
図１及び図２において、プロセッサ１０は、また、従業者個人によって個人端末３に入力されかつ個人端末３から送信された、従業者個人の福利厚生サービスの利用の申し込み及び福利厚生サービスの利用に使用する使用持ち点を受信すると、対応する福利厚生サービス施設の施設端末４へ福利厚生サービスの利用の利用手続を行い、使用持ち点相当の補助金額を施設端末４に送信し、使用持ち点及び従業者個人の持ち点と使用持ち点との差である残り持ち点を従業者個人別にメモリ２０に記憶させる第２のステップを実行する。
【００２８】
図３に、メモリ２０に、使用持ち点及び残り持ち点が従業者個人別に記憶された状態を示す。
【００２９】
図１及び図２において、プロセッサ１０は、従業者個人が福利厚生サービス施設を利用した際に、福利厚生サービス施設が、従業者個人に全請求額のうちの自己負担分を支払わせて残金として残った従業者個人に対する補助金額をカフェテリアプラン代行装置１への請求額として施設端末４からカフェテリアプラン代行装置１に送信させた、従業者個人に対する補助金額に相当するカフェテリアプラン代行装置１への請求額を受信すると、従業者個人に対する補助金額に相当するカフェテリアプラン代行装置１への請求額を従業者個人別にメモリ２０に記憶させる第３のステップを実行する。
【００３０】
更に、プロセッサ１０は、従業者個人に対する補助金額に相当するカフェテリアプラン代行装置１への請求額にカフェテリアプラン代行装置１の取り分（手数料）を上乗せして、カフェテリアプラン代行装置１から企業への請求額として企業端末２に送信すると共にカフェテリアプラン代行装置１から企業への請求額を従業者個人別にメモリ２０に記憶させる第４のステップを実行する。
【００３１】
この場合、企業は、カフェテリアプラン代行装置１から企業への請求額を、カフェテリアプラン代行装置１に支払い、カフェテリアプラン代行装置１は、その支払いからカフェテリアプラン代行装置１の取り分（手数料）を引いた残りを福利厚生サービス施設に支払う。
【００３２】
或いは、プロセッサ１０は、従業者個人に対する補助金額に相当するカフェテリアプラン代行装置１への請求額を、従業者個人に対する補助金額に相当する企業への請求額に変更して企業端末２に送信すると共に企業への請求額を従業者個人別にメモリ２０に記憶させるステップを、第４のステップとして実行する。
【００３３】
この場合、企業は、企業への請求額に、その請求額見合いのフィー（契約時に決まっている）をプラスして、カフェテリアプラン代行装置１に支払い、カフェテリアプラン代行装置１は、その支払いから請求額見合いのフィーを引いた残りを福利厚生サービス施設に支払う。
【００３４】
図１及び図２において、カフェテリアプラン代行装置１のプロセッサ１０は、所定時に、残り持ち点などを企業端末２へ報告する。
【００３５】
【発明の効果】
以上説明したように本発明によれば、会社の代りにカフェテリアプランを代行するツールであるカフェテリアプラン代行装置をコンピュータシステム上で実現するためのハードウェアの用い方を提供することができ、カフェテリアプラン代行装置を有する福利厚生システム及びカフェテリアプラン代行装置用プログラムを提供することができる。
【図面の簡単な説明】
【図１】本発明の一実施例による福利厚生システムのブロック図である。
【図２】図１に示した福利厚生システムのカフェテリアプラン代行装置のブロック図である。
【図３】図２に示したカフェテリアプラン代行装置のメモリの動作の説明に使用する図である。
【符号の説明】
１　　カフェテリアプラン代行装置
２　　企業端末
３　　個人端末
４　　施設端末
１０　　プロセッサ
２０　　メモリ
３０　　通信手段
４０　　入力部
５０　　プログラム（カフェテリアプラン代行装置用プログラム）
６０　　表示部
【図１】
2004102761.tif 000003
【図２】
2004102761.tif 000004
【図３】
2004102761.tif 000005